(57)【要約】【課題】  電線を伝った水の配線器具への到達が抑えられる配線ボックスを提供する。【解決手段】  配線器具が固定される器具固定部２０と、配線器具に接続される電線４１が挿通される電線挿通室１０と、電線挿通室１０の内外を連通させる電線導入口２１０とを有する。電線挿通室１０内には、左側に器具固定部２０が位置して右側に電線導入口２１０が位置し電線４１が通される通線穴１２０を下側に有する仕切り壁１２１が設けられている。電線４１が仕切り壁１２１の下側に通されることでＵ字形状に屈曲するから、電線４１が屈曲しない場合に比べ、上方から電線４１を伝って電線挿通室１０内に浸入した水が配線器具に到達しにくい。【選択図】図１
2015012723.tif 000002
【特許請求の範囲】
【請求項１】
配線器具が固定される器具固定部と、
前記配線器具に接続される電線が挿通される電線挿通室と、
前記電線挿通室の内外を連通させる電線導入口とを有し、
前記電線挿通室内には、左右方向の一方側または前側に前記器具固定部が位置して、左右方向の他方側または後側に前記電線導入口が位置する仕切り壁が設けられ、
前記仕切り壁の下側には、前記電線が挿通される通線穴が設けられ、
前記通線穴は、前記器具固定部に固定された配線器具において前記電線が接続される端子部よりも下側に位置することを特徴とする配線ボックス。
【発明の詳細な説明】
【技術分野】
【０００１】
本発明は、配線ボックスに関するものである。
【背景技術】
【０００２】
従来から、コンセントやスイッチなどの配線器具を、屋外の壁面等の施工面上に露出配設する際に用いられる配線ボックスが提供されている（例えば、特許文献１参照）。
【０００３】
配線器具は、電線が接続される端子部を後側（つまり施工面に向けられる側）に有する。配線ボックスは、施工面に対してねじ止めなどによって固定されるとともに、配線器具の端子部と施工面との間に隙間を空ける形で配線器具を保持する。配線ボックスの内側には、配線器具の端子部に接続される電線が挿通される電線挿通室が形成される。上記の電線は、施工面に設けられた穴を通じて配線ボックスの後方から電線挿通室に導入される場合もあるが、施工面に沿った方向から配線モールを通して電線挿通室に導入される場合もある。配線器具の端子部を雨滴などから保護するため、配線ボックスは、配線器具と施工面と配線モールとのいずれかによって閉塞される開口のみを有するような箱状または筒状とされる。
【先行技術文献】
【特許文献】
【０００４】
【特許文献１】特開２００１−２７５２２８号公報
【発明の概要】
【発明が解決しようとする課題】
【０００５】
配線器具に接続される電線が配線ボックスの上方から導入される場合、電線を伝った水が配線器具に到達し、短絡や漏電の原因となる可能性がある。
【０００６】
本発明は、上記事由に鑑みて為されたものであり、その目的は、電線を伝った水の配線器具への到達が抑えられる配線ボックスを提供することにある。
【課題を解決するための手段】
【０００７】
本発明の配線ボックスは、配線器具が固定される器具固定部と、前記配線器具に接続される電線が挿通される電線挿通室と、前記電線挿通室の内外を連通させる電線導入口とを有し、前記電線挿通室内には、左右方向の一方側または前側に前記器具固定部が位置して左右方向の他方側または後側に前記電線導入口が位置する仕切り壁が設けられていて、前記仕切り壁の下側には、前記電線が挿通される通線穴が設けられ、前記通線穴は、前記器具固定部に固定された配線器具において前記電線が接続される端子部よりも下側に位置することを特徴とする。
【発明の効果】
【０００８】
本発明によれば、電線が仕切り壁の下側に通されることでＵ字形状に屈曲するから、電線が屈曲しない場合に比べ、上方から電線を伝って電線挿通室内に浸入した水が配線器具に到達しにくい。
【図面の簡単な説明】
【０００９】
【図１】本発明の実施形態１を示す正面図である。
【図２】（ａ）（ｂ）はそれぞれ同上に配線器具が取り付けられた状態を示し、（ａ）は正面図、（ｂ）は右側面図である。
【図３】（ａ）〜（ｃ）はそれぞれ同上のベースを示し、（ａ）は正面図、（ｂ）は下面図、（ｃ）は右側面図である。
【図４】（ａ）〜（ｄ）はそれぞれ同上のカバーを示し、（ａ）は正面図、（ｂ）は平面図、（ｃ）は右側面図、（ｄ）は底面図である。
【図５】（ａ）（ｂ）はそれぞれ本発明の実施形態２を示し、（ａ）は正面図、（ｂ）は右側面図である。
【図６】（ａ）〜（ｃ）はそれぞれ同上を示し、（ａ）は正面図、（ｂ）は右側面図、（ｃ）は下面図である。
【図７】（ａ）（ｂ）はそれぞれ同上に配線器具が取り付けられた状態を示し、（ａ）は正面図、（ｂ）は右側面図である。
【図８】（ａ）（ｂ）はそれぞれ同上に別の配線器具が取り付けられた状態を示し、（ａ）は正面図、（ｂ）は右側面図である。
【発明を実施するための形態】
【００１０】
本発明の配線ボックスは、配線器具３が固定される器具固定部２０と、配線器具３に接続される電線４１が挿通される電線挿通室１０と、電線挿通室１０の内外を連通させる電線導入口２１０とを有する。電線挿通室１０内には、左右方向の一方側または前側に器具固定部２０が位置して左右方向の他方側または後側に電線導入口２１０が位置する仕切り壁１２１が設けられている。仕切り壁１２１の下側には、電線４１が挿通される通線穴１２０が設けられ、通線穴１２０は、器具固定部２０に固定された配線器具３において電線４１が接続される端子部よりも下側に位置する。
【００１１】
以下、本発明を実施するための最良の形態について、図面を参照しながら説明する。
【００１２】
（実施形態１）
本実施形態の配線ボックスは、図１に示すように、壁面等の施工面（図示せず）に固定されるベース１と、前方から見てベース１を覆う形でベース１に結合するカバー２とを備える。ベース１とカバー２とはそれぞれ例えば合成樹脂からなる。カバー２は、図２に示すように配線器具３が固定される器具固定部２０を有する。図２では配線器具３としてコンセントを示しているが、取り付けられる配線器具３は、例えばスイッチや人感センサなどであってもよい。
【００１３】
ベース１は、図３に示すように、厚さ方向の一面である後面（図３（ｂ）での下面であり、図３（ｃ）での右面）を施工面に向けて施工面にねじ止め固定される底板１１を備える。底板１１は、上下方向に長い長方形状であって器具固定部２０の後側に位置する本体部１１１と、本体部１１１の下端部から右方に延長された延長部１１２とを有する。また、ベース１は、延長部１１２の上側において本体部１１１の右端から前方に突設され下端が僅かに右方に曲がった仕切り壁１２１と、本体部１１１の上端から前方に突設された上壁１２２と、本体部１１１の左端から前方に突設された左壁１２３とを備える。さらに、ベース１は、本体部１１１の下端と延長部１１２の下端とに跨って前方に突設された下壁１２４と、延長部１１２の右端から前方に突設され上端部が左方に曲がった右壁１２５とを備える。仕切り壁１２１の上端と上壁１２２の右端、上壁１２２の左端と左壁１２３の上端、左壁１２３の下端と下壁１２４の左端、並びに、下壁１２４の右端と右壁１２５の下端は、それぞれ相互に連結されている。これにより、底板１１の前側において上記の壁１２１〜１２５に囲まれた範囲には、前方に開口するとともに仕切り壁１２１の下端部と右壁１２５の上端部との間で上方に開口した凹部が構成されている。
【００１４】
カバー２は、図４に示すように、前方から見てベース１を囲む角筒形状の周壁２１と、厚さ方向を前後方向に向け周壁２１の前端に連結された長方形状の前板２２とを有して全体として後側が開口した有底角筒形状とされている。前板２２において、四隅と、左右方向の中央部の上下両端付近との、合計６箇所には、それぞれ、円形状の貫通穴であるねじ挿通穴２２０が設けられている。また、ベース１において本体部１１１の四隅と延長部１１２の右下端とには、それぞれ前方に開口したねじ穴を有するねじ止め部１３が前方に突設されている。カバー２は、右上以外の１個ずつのねじ挿通穴２２０に挿通されてねじ止め部１３にねじ込まれる５本のねじによって、ベース１に対してねじ止め固定される。カバー２は、ベース１に結合した状態では、施工面との間でベース１をほぼ覆う。配線器具３に接続される電線４１が挿通される電線挿通室１０は、カバー２の前板２２の後側において周壁２１に囲まれた範囲に構成される。また、周壁２１において、上側の壁の右端部と、右側の壁の右端部とには、それぞれ、後方に開放された切り欠きからなる電線導入口２１０が設けられている。なお、電線導入口２１０は、必要に応じて切除可能ないわゆるノックアウト部によって閉塞されていてもよい。ベース１とカバー２とが互いに結合した状態では、各電線導入口２１０は、それぞれ、仕切り壁１２１よりも右側に位置する。また、ベース１とカバー２とが互いに結合した状態では、器具固定部２０は、仕切り壁１２１よりも左側に位置する。配線器具３に接続される電線４１は複数本（図１では２本）であって結束されてケーブル４を構成する。ケーブル４は、配線モール５に挿通された状態で配線モール５とともに電線導入口２１０を通じて電線挿通室１０内に導入され、電線挿通室１０内で配線モール５から引き出されて仕切り壁１２１の下側を通して器具固定部２０の後側に導入される。つまり、電線挿通室１０内において仕切り壁１２１の下側には、電線４１が挿通される通線穴１２０が形成されている。さらに、上記のケーブル４が施工面内に配線されている場合に、施工面側（後方）からのケーブル４の導入を可能とするために、底板１１において本体部１１１の中央部には円形状の貫通穴である電線挿通穴１１０が設けられている。
【００１５】
配線器具３は、図２に示すようにカバー２の前板２２の前側に露出する形でカバー２の器具固定部２０に対して固定される。また、配線器具３は、電線４１が接続される端子部（図示せず）を後側に有する。器具固定部２０は、前板２２の中央よりも左側に開口したほぼ長方形状の電線導出穴２００を有する。器具固定部２０に固定された配線器具３の端子部がカバー２の後方から見て電線導出穴２００の中央部に露出するように、電線導出穴２００の位置は決定されている。つまり、配線器具３に接続される電線４１は、電線導出穴２００の中央部から導出される。また、器具固定部２０は、電線導出穴２００の上下両側に２個ずつ設けられて前後方向に貫通した貫通穴である取付穴２０１，２０２を有する。配線器具３は、例えば取付穴２０１，２０２にねじ込まれるねじにより器具固定部２０にねじ止め固定される。取付穴２０１，２０２としては、電線導出穴２００の内側へ突設された凸部に設けられた第１取付穴２０１と、第１取付穴２０１よりも上下方向の外側に設けられた第２取付穴２０２とのうち、配線器具３の種別に応じたものを用いることができる。
【００１６】
ここで、仕切り壁１２１の下端は、器具固定部２０に固定された配線器具３の端子部よりも下側（つまり、電線導出穴２００の中央よりも下側）に位置し、且つ、いずれの電線導入口２１０よりも下側に位置する。また、器具固定部２０が仕切り壁の１２１の左側に位置するのに対し、各電線導入口２１０は仕切り壁１２１の右側に位置するといったように、器具固定部２０と各電線導入口２１０とは仕切り壁１２１の左右の互いに異なる側に位置する。従って、図１に示すように電線導入口２１０から導入されたケーブル４（電線４１）は、配線器具３に接続される前に仕切り壁１２１の下側においてＵ字形状に曲げられる。これにより、ケーブル４を伝って浸入した水は仕切り壁１２１の下側で止まるから、配線器具３に到達しにくい。
【００１７】
（実施形態２）
本実施形態は、図５〜図８に示すように、ベース１を有さず、施工面に対して直接に固定されるカバー２のみからなる。施工面に対するカバー２の固定は、例えばねじ止めによって達成される。また、電線挿通室１０は、カバー２の後側（つまりカバー２と施工面との間）に形成される。
【００１８】
また、電線導入口２１０は、周壁２１の上下左右のそれぞれに設けられている。
【００１９】
さらに、仕切り壁２３は、電線導出穴２００の上側の開口縁から後斜め下方に突設され、先端部を前方へ曲げられたものとなっている。つまり、器具固定部２０は仕切り壁２３の前側に位置し、電線導入口２１０は仕切り壁２３の後側に位置し、ケーブル４（電線４１）が挿通される通線穴１２０は仕切り壁２３の下側に形成される。
【００２０】
さらに、仕切り壁２３の下端は、器具固定部２０に固定された配線器具３の端子部よりも下側（つまり、電線導出穴２００の中央よりも下側）に位置する。従って、上側の電線導入口２１０から配線モール５とともに導入されたケーブル４（電線４１）は、仕切り壁２３の下側でＵ字形状に曲げられる。これにより、ケーブル４を伝って浸入した水は仕切り壁２３の下側で止まるから、配線器具３に到達しにくい。
【符号の説明】
【００２１】
３  配線器具
１０  電線挿通室
２０  器具固定部
２３  仕切り壁
４１  電線
１２０  通線穴
１２１  仕切り壁
２１０  電線導入口
【図１】
2015012723.tif 000003
【図２】
2015012723.tif 000004
【図３】
2015012723.tif 000005
【図４】
2015012723.tif 000006
【図５】
2015012723.tif 000007
【図６】
2015012723.tif 000008
【図７】
2015012723.tif 000009
【図８】
2015012723.tif 000010